(57)【要約】【課題】ドア装置に足元を照らす足元照明灯を設けるにあたり、機能性を向上するとともに、構成を簡略にして後付けができるように構成する。【解決手段】下枠７に躯体開口部の床面から突出する戸当たり部７ｂが形成されたドア枠４に、ドア体２が開閉揺動自在に設けられるドア装置１において、前記下枠７の戸当たり部７ｂに中空部１０ｃを備えた気密材１０を設け、該気密材１０の中空部１０ｃに足元照明灯を構成する発光ダイオード１１と切換え手段１２とを内装して、ドア体２の開放に伴い発光ダイオード１１が点灯し、ドア体２の閉鎖に伴い消灯するように構成する。【選択図】図２
2010106601.tif 000002
【特許請求の範囲】
【請求項１】
下枠に躯体開口部の床面から突出する戸当たり部が形成されたドア枠に、ドア体が開閉揺動自在に設けられるドア装置において、前記下枠の戸当たり部に中空部を備えた気密材を設け、該気密材の中空部に足元照明灯を内装するとともに、気密材に貫通孔を開設して、貫通孔を介して足元を照らすように構成した足元照明灯付きドア装置。
【請求項２】
足元照明灯は、切換え手段に接続され、ドア体の開放に伴い点灯し、ドア体の閉鎖に伴い消灯するように構成されている請求項１に記載の足元照明灯付きドア装置。
【請求項３】
切換え手段は、気密材の戸先側に設けられ、ドア体の開閉作動に連動して切換わるように構成されている請求項２に記載の足元照明灯付きドア装置。
【発明の詳細な説明】
【技術分野】
【０００１】
本発明は、玄関等の建築物の開口部に設けられる足元照明灯付きドア装置の技術分野に属するものである。
【背景技術】
【０００２】
一般に、玄関等の建築物の開口部に設けられるドア装置のなかには、開口部に設けられるドア枠にドア体を開閉揺動自在に組込んだものがあり、このものでは、ドア枠の開口側に戸当たり部を形成してドア体の閉鎖位置を規制している。このようなものにおいて、戸当たり部を床面に固定される下枠にも設けて気密性を高めるようにしたものがあるが、この場合では、突当て部が床面よりも上位に位置するため、夜間にドア装置を出入りするときに突当て部に足を引っ掛けて躓いたりすることがあって問題がある。
【０００３】
この改善策として、ドア装置を構成する下枠に照明器具を設けて、足元を照らすようにしたものが提唱されている。
【特許文献１】実開昭６１−１３６０９０号公報
【発明の開示】
【発明が解決しようとする課題】
【０００４】
ところが、前記従来のものは、金属製の下枠自体に内装されるものであり、そのため、下枠の照明器具の光源配設部を切欠いて、該切り欠き部に透光性部材で形成されるカバー（透光部）を別途設ける構成となっている。このため、照明器具を内装するための特別の下枠を形成する必要があって汎用性に劣るという問題があるうえ、既設の下枠への加工が困難で、事実上後付けすることができないという問題もあり、ここに本発明の解決すべき課題がある。
【課題を解決するための手段】
【０００５】
本発明は、上記の如き実情に鑑みこれらの課題を解決することを目的として創作されたものであって、請求項１の発明は、下枠に躯体開口部の床面から突出する戸当たり部が形成されたドア枠に、ドア体が開閉揺動自在に設けられるドア装置において、前記下枠の戸当たり部に中空部を備えた気密材を設け、該気密材の中空部に足元照明灯を内装するとともに、気密材に貫通孔を開設して、貫通孔を介して足元を照らすように構成した足元照明灯付きドア装置である。
請求項２の発明は、足元照明灯は、切換え手段に接続され、ドア体の開放に伴い点灯し、ドア体の閉鎖に伴い消灯するように構成されている請求項１に記載の足元照明灯付きドア装置である。
請求項３の発明は、切換え手段は、気密材の戸先側に設けられ、ドア体の開閉作動に連動して切換わるように構成されている請求項２に記載の足元照明灯付きドア装置である。
【発明の効果】
【０００６】
請求項１の発明とすることにより、簡単な構成で、かつ、低コストとすることができるうえ、下枠の最も突出する部位を点灯して躓きにくくすることができ、しかも、既設のドア装置に後付けが可能となる。
請求項２の発明とすることにより、必要に応じて足元照明灯を点灯できてバッテリの消耗を低減することが可能となる。
請求項３の発明とすることにより、通行者が出入り口部を通過する間、足元照明灯を効果的に点灯できる。
【発明を実施するための最良の形態】
【０００７】
つぎに、本発明の実施の形態について、図面に基づいて説明する。
図面において、１は建築物の開口部に設けられるドア装置であって、ドア装置１を構成するドア体２は、表裏一対の面板を折曲して形成されており、表裏面板の間に芯材３を介装することにより、表、裏面２ａ、２ｂ、そして、左右、上下の各端面２ｃ（ドア厚面）を備えて構成されている。尚、２ｄはドア体１を開閉操作するための把手である。
【０００８】
一方、開口部にはドア枠４が固定されているが、ドア枠４は、左右一対の縦枠５、上枠６、下枠７をそれぞれ開口部の四周に固定することにより構成されている。そして、ドア体２は、図１において、図面向かって右側の縦枠５に上下方向複数箇所に設けた蝶番８を介して開閉揺動自在に設けられている。
前記縦枠５は、開口部の左右端面に沿い、閉鎖状態のドア体２の左右側の端面２ｃに対向する対向面部５ａと、該対向面部５ａから開口側に突出し、閉鎖状態のドア体２において裏面２ｂ側の左右端部に対向する段差状の戸当たり部５ｂとを備えて形成されている。前記戸当たり部５ｂは凹溝状に形成されており、ここにゴム質弾性材で構成される気密材９が嵌入保持されており、気密材９の表側に向けて膨出状に突出する部位が、ドア体２が閉鎖することにより弾性変形するように構成されている。
また、上枠６は、開口部の上端面に沿い、閉鎖状態のドア体２の上側の端面２ｃに対向する対向面部６ａと、該対向面部６ａから開口側に突出し、閉鎖状態のドア体２において裏面２ｂ側の上端部に対向する段差状の戸当たり部６ｂとを備えて形成されている。前記戸当たり部６ｂは凹溝状に形成されており、該戸当たり部６ｂには、前記縦枠５と同様に、弾性変形自在となるよう表側に膨出状に突出する部位を有した気密材９が嵌入保持されている。
【０００９】
さらに、下枠７は、開口部の下端面であって、床面Ｆとの間に所定間隙を存して位置し、閉鎖状態のドア体２の下側の端面２ｃに対向する対向面部７ａと、該対向面部７ａから開口側に突出し、閉鎖状態のドア体２において裏面２ｂ側の下端部に対向する段差状の戸当たり部７ｂとを備えて形成され、床面Ｆより上方に突出する状態で設けられている。また、下枠７の戸当たり部７ｂは凹溝状に形成されており、該戸当たり部７ｂには、気密材１０の基端部１０ａが嵌入保持されており、気密材１０の表側に向けて膨出状に突出する先端部１０ｂがドア体２の閉鎖により弾性変形するように構成されている。
このように、ドア枠４の開口側に突出する戸当たり部５ｂ、６ｂ、７ｂには気密材９、１０が設けられており、これによって、ドア体２が閉鎖状態となった場合に、ドア体裏面２ｂの四周端部に気密材９、１０が弾性変形する状態で押し付けられて気密性が保持されるように構成されている。
【００１０】
そして、床面Ｆから上方に突出する下枠７には足元照明灯が設けられ、夜間等の薄暗い状態にドア体２を出入りしようとした場合であっても、下枠７部位が明るく照らされて、下枠７に躓いてしまうような不具合がないように構成されているが、本発明では、足元照明灯を構成する光源が、下枠７の最も上位となる戸当たり部７ｂに嵌入保持される気密材１０に設けられていて、一層認識しやすく、かつ、躓きにくくなっている。
つまり、前記気密材１０は、前述したように、表側に向けて膨出する先端部１０ｂを備えて構成されているが、前記先端部１０ｂは、左右方向に貫通する中空状の中空部１０ｃが形成されている。そして、中空部１０ｃの戸先側部位に、足元照明灯を構成する光源である発光ダイオード１１が左右方向所定間隙を存して複数（三個）設けられている。これら発光ダイオード１１は、先端側の発光部１１ａと、該発光部１１ａの基端部に位置し電子部品が内装される本体部１１ｂとを備えて構成されている。各本体部１１ｂは、気密材１０の基端部１０ａの所定の箇所を切欠いて先端部１０ｂ側が開口するよう形成された三箇所の保持凹部１０ｄに保持されている。このとき、発光部１１ａは、中空部１０ｃの基端側に位置して配設されるように構成されており、ドア体２が閉鎖状態となって気密材１０の先端部１０ｂが弾性変形したとき、ドア体２の裏面２ｂが発光部１１ａの先端部に干渉することがないように位置設定されている。
一方、気密材１０の先端部１０ｂにおける膨出側部位には、各発光部１１ａにそれぞれ対向する部位に光放射用貫通孔１０ｅが開設されており、発光ダイオード１１が点灯した場合に、これら光放射用貫通孔１０ｅを介して発光部１１ａからの光が放射され、足元である下枠７部位を照らすように構成されている。
【００１１】
さらに、各発光ダイオード１１は、各本体部１１ｂ同士がそれぞれリード線１１ｃを介して接続されており、リード線１１ｃは切換え手段１２に接続されている。前記切換え手段１２は、後述するバッテリユニット１３に内装される図示しないバッテリと発光ダイオード１１との接続を断続切換えするように構成されており、切換え手段１２は、気密材１０の戸先側（図１において左側）であって、発光ダイオード１１配設位置よりも戸先側に配設されている一方、バッテリユニット１３は下枠７の戸先側であって、下枠対向面部７ａと床面Ｆとの間の空隙部に設けられている。そして、切換え手段１２とバッテリユニット１３とは、下枠７と床面Ｆとの間において配線接続されるように構成されている。
尚、バッテリユニット１３は、ケース体１３ａにバッテリとしてボタン電池を内装することにより構成されており、ケース体１３ａは、下枠７の対向面部７ａに開設された開口７ｃに臨むように設けられている。そして、前記開口７ｃは、開閉自在な蓋体７ｄにより塞がれており、蓋体７ｄを開放することによりバッテリユニット１３内の電池交換ができるように構成されている。
【００１２】
そして、切換え手段１２は、気密材１０の中空部１０ｃに内装されるスイッチ部１２ａと、該スイッチ部１２ａの表側面から表裏方向変位自在で、かつ、表側に突出する方向に付勢された操作部１２ｂとを備えて構成されており、前記操作部１２ｂは、気密材１０の先端部１０ｂに開設された切換え用貫通孔１０ｆを介して表側に突出配設されている。このとき、操作部１２ｂは、閉鎖状態のドア体２の裏面２ｂに対向する部位に位置するよう設定されており、本実施の形態では、発光ダイオード１１配設位置よりも僅かに上方に変位して設けられている。尚、切換え手段１２のスイッチ部１２ａは、閉鎖状態のドア体２に干渉しない位置関係で配設されている。
そして、ドア体２の閉鎖状態において、操作部１２ｂは付勢力に抗してドア体２の裏面２ｂにより裏側に押圧されており、この状態でスイッチ部１２ａは、バッテリと発光ダイオード１１との間を断状態に切換えるように構成されている。一方、ドア体２が開放される状態になると、操作部１２ｂは付勢力を受けて表側に突出し、この状態でスイッチ部１２ａは、バッテリと発光ダイオード１１との間を接続状態に切換え、これによって、発光ダイオード１１を点灯させるように構成されている。
【００１３】
さらに、バッテリユニット１３には、図示しない規制手段としてタイマ装置が内装されており、予め設定される時間帯（例えば夜間）において、ドア体２が開放されて操作部１２ｂが表側に変位したときのみ、バッテリと発光ダイオード１１との間を接続状態とするように構成されている。これによって、ドア体２の開放に伴う発光ダイオード１１の点灯は夜間にのみなされて、バッテリのムダな消耗が回避されるように構成されている。尚、規制手段としては、タイマ装置に限定されず、照度検出装置等のセンサを用いる構成であってもよい。さらに、規制手段を小型化したものを用いた場合では、バッテリユニットを気密材に内装することも可能であり、この場合では、既設のドア装置への後付けを容易に実施することが可能となる。
また、切換え手段１２は、ドア体２の戸先側で、しかも、ドア体裏面２ｂの下端部に対向する部位に設けられており、これによって、操作部１２ｂがドア体２の開閉作動に連動して表裏方向に変位する作動が確実になされるとともに、ドア体２の開放作動の直後に発光ダイオード１１が点灯し、該点灯を、閉鎖状態になる寸前まで維持できるように構成されている。
尚、気密材１０の光放射用貫通孔１０ｅは、開放状態のままであっても問題ないが、透明樹脂材等により封止することも可能であり、このようにすることにより、中空部１０ｃに内装させる部材を確実に防水することができる。
【００１４】
叙述の如く構成された本形態において、下枠７に床面Ｆよりも上方に突出する戸当たり部７ｂが設けられるドア装置１において、下枠７部位には足元照明灯が設けられているので、夜間等の薄暗い状況下で出入り口部に入ろうとする場合であっても、下枠７部位が照明されて下枠７の突出状態を認識させることができ、通行者が躓いてしまうようなことを防止できる。この場合に、足元照明灯の光源である発光ダイオード１１と切換え手段１２とは、下枠７ではなく、下枠７に組込まれる気密材１０に設けられる構成となっているので、下枠に組込まれる従来のもののように、光を表側に放射するための透光部を別途加工して設ける必要がなく、単に、戸当たり部７ｂに通常設けられる気密材１０に保持凹部１０ｄを形成するとともに、光放射用貫通孔１０ｅを開設するだけの簡単な構成で足元照明灯を設けることができて、低コストで対応することができる。そのうえ、下枠７の最も突出する部位である戸当たり部７ｂ部位が点灯することになるので、突出状態が一層明確に認識されて躓きにくくなって、機能性の向上を図れる。さらには、足元照明灯を気密材１０に内装する構成としたので、既設のドア装置に後付けすることも容易に行える。
【００１５】
このように、本発明が実施されたものにあっては、足元照明灯である発光ダイオード１１が、床面Ｆよりも上方に突出する下枠７部位を照らすようにしたものであるが、このものでは、切換え手段１２が設けられていて、ドア体２の開放作動に連動して発光ダイオード１１が点灯し、閉鎖作動に連動して消灯するように構成したので、バッテリがムダに消耗することがない。しかも、本実施の形態のものでは、バッテリユニット１３に設けたタイマ装置により必要な時間帯においてドア体２が開放したときのみ発光ダイオード１１が点灯するようにしたので、一層無駄を省くことができる。また、バッテリユニット１３を下枠７に内装する構成としたので、ドア装置の施工をすることで足元照明灯の電気的な配線を含めて全て完結するという利点もある。
【００１６】
さらに、このものでは、切換え手段１２が戸先側に設けられているので、ドア体２が開放作動を始めることに伴い発光ダイオード１１が点灯し、閉鎖状態になるまで前記点灯を維持できるので、通行者が出入り口部を通過する間を効果的に照らすことができる。
【００１７】
尚、本発明は前記実施の形態に限定されないことは勿論であって、図５に示す第二の実施の形態のようにすることができる。
前記第二の実施の形態のドア装置は、足元照明灯を、一つの発光ダイオード１４と、長尺状の導光体１５とを備えて構成すること以外は、前記第一の実施の形態と同様の構成となっており、同様の構成の部材については第一の実施の形態と同様の符号を付すことで説明を省略する。つまり、足元照明灯を構成する発光ダイオード１４は、前記第一の実施の形態と同様に、下枠７の戸当たり部７ｂに嵌合保持される気密材１６に内装されている。前記気密材１６の先端部１６ａには中空部１６ｂが形成され、該中空部１６ｂの戸先側に発光ダイオード１４の発光部１４ａが戸尻側を向く姿勢で内装されている。さらに、気密材中空部１６ｂには、発光部１４ａの戸尻側に隣接して導光体１５が設けられるが、導光体１５は長尺状の透明樹脂材で構成されており、切換え手段１２に接続された発光ダイオード１４の発光部１４ａがドア体２の開放に伴い点灯すると、導光体１５の戸先側端部から光が入光し、導光体１５から戸尻側に向く長尺状の光が放射するように構成されている。一方、気密材先端部１６ａの膨出側部位には、所定間隙を存して光放射用貫通孔１６ｃが複数開設されており、これら光放射用貫通孔１６ｃから導光体１５の光が放射するように構成されている。そして、このように形成した場合では、発光ダイオード１４の数を少なくすることができるという利点がある。
【図面の簡単な説明】
【００１８】
【図１】図１（Ａ）、（Ｂ）はそれぞれドア装置の概略正面図、側面断面図である。
【図２】ドア装置の要部を切欠いて拡大した斜視図である。
【図３】図３（Ａ）、（Ｂ）はそれぞれドア体の開閉状態と足元照明灯との関係を説明する側面断面図である。
【図４】図４（Ａ）は足元照明灯の気密材への内装状態を説明する側面図、図４（Ｂ）は切換え手段の気密材への内装状態を説明する側面図、図４（Ｃ）はドア体の開閉状態と切換え手段との関係を説明する側面断面図である。
【図５】第二の実施の形態のドア装置の要部を切欠いて拡大した正面図である。
【符号の説明】
【００１９】
１    ドア装置
２    ドア体
２ｂ    裏面
４    ドア枠
７    下枠
７ｂ    戸当たり部
１０    気密材
１０ｃ    中空部
１０ｅ    光放射用貫通孔
１１    発光ダイオード
１１ａ    発光部
１２    切換え手段
１２ｂ    操作部
１３    バッテリユニット
【図１】
2010106601.tif 000003
【図２】
2010106601.tif 000004
【図３】
2010106601.tif 000005
【図４】
2010106601.tif 000006
【図５】
2010106601.tif 000007